(57)【要約】【課題】水漏れを検知し、水漏れの被害拡大を防ぐとともに、使用者に異常の発生を知らせること。【解決手段】洗濯機の底板に本体内部への水漏れを検知する漏水検知手段１４を配設し、制御手段１２は漏水検知手段１４が水漏れを検知したときに、直ちに運転（給水やドラム回転など）を停止させると共に、異常報知を行う。【選択図】図１
2010172640.tif 000002
【特許請求の範囲】
【請求項１】
水平または斜めの回転中心軸を有する回転ドラムと、洗濯機本体に弾性的に支持され前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、洗濯機の底板に本体内部への水漏れを検知する漏水検知手段と、前記入力設定・表示手段により設定された行程の内容をもとに前記モータ、前記給水手段、前記水位検知手段および前記排水手段等を制御し洗濯運転を行う制御手段とを備え、前記制御手段は漏水検知手段が水漏れを検知したときに、直ちに運転を停止させると共に、異常報知を行うようにしたドラム式洗濯機。
【請求項２】
前記回転ドラム下方に設けた、前記水受け槽内に給水された水を温める為の加熱手段と、前記加熱手段近傍に配設された水温を検知する温度検出手段とを備え、前記加熱手段を使用し高温水での運転中に、前記漏水検知手段が水漏れを検知したときに、直ちに運転を停止させると共に、前記給水手段が故障していた場合、攪拌動作をすることによる冷却により、水温が所定の温度以下になったら、前記水受け槽内の水を排水し、異常報知を行うようにした請求項１記載のドラム式洗濯機。
【請求項３】
前記回転ドラム下方に設けた、前記水受け槽内に給水された水を温める為の加熱手段と、前記加熱手段近傍に配設された水温を検知する温度検出手段とを備え、前記加熱手段を使用し高温水での運転中に、前記漏水検知手段が水漏れを検知したときに、直ちに運転を停止させると共に、前記モータが故障していた場合、給水動作をすることによる冷却により、水温が所定の温度以下になったら、前記水受け槽内の水を排水し、異常報知を行うようにした請求項１記載のドラム式洗濯機。
【請求項４】
前記回転ドラム下方に設けた、前記水受け槽内に給水された水を温める為の加熱手段と、前記加熱手段近傍に配設された水温を検知する温度検出手段とを備え、前記加熱手段を使用し高温水での運転中に、前記漏水検知手段が水漏れを検知したときに、直ちに運転を停止させると共に、前記排水手段が故障していた場合、給水動作と攪拌動作をすることによる冷却により、水温を所定の温度以下にし、異常報知を行うようにした請求項１記載のドラム式洗濯機。
【請求項５】
水温を所定の温度以下にして、前記水受け槽内の水を排水するときに、前記水受け槽の底部からの排水経路の途中に設けられた着脱可能なリント回収手段が外れていた場合は、負荷の運転を停止し、異常報知を行うようにした請求項２または３に記載のドラム式洗濯機。
【発明の詳細な説明】
【技術分野】
【０００１】
本発明は、ドラム式洗濯機に関するものである。
【背景技術】
【０００２】
図３は、特許文献１に記載された従来の洗濯機を示すものである。図３に示すように、１０１は排水口を有し、この排水口に洗濯機の排水ホースを差し込んで排水できるようになっている防水パンである。１０２は電気洗濯機の外箱で、内部機構の周囲を内包する電気洗濯機の枠体である。この外箱１０２は底部に開放口１０３を有しており、この開放口１０３によって防水パン１０１内と連通している。外箱１０２の内部には、外槽１０４及び内槽１０５から成る槽１０６、特にはその外槽１０４を、複数組（一組のみ図示）の弾性吊持機構１０７により支持して配設している。弾性吊持機構１０７は、それぞれ吊り棒１０８及びスプリング１０９を有して成るもので、槽１０６の揺動を許容すると共に、該槽１０６の収容物の重量に応じた降下を許容するようになっている。内槽１０５内には底部に攪拌体１１０を配設しており、外槽１０４には外下方部の複数のボス部１１１に支持板１１２をそれぞれねじ１１３によって取り付けている。支持板１１２にはモータ１１４と機構部１１５及び水位検知装置１１６を取り付けている。そして、水位検知装置１１６からの信号を制御装置１３０に入力している。
【０００３】
上記構成より、防水パン１０１の排水口から先の屋内排水管の詰まりなどにより排水しきれずに残った水や洗濯機内部からの水漏れによる水が防水パン１０１内に溜まり、次第に水位を上げていく。その水位を水位検知装置１１６が検知し、信号を制御装置１３０に送る。そして制御装置１３０は、水位検知装置１１６からの入力信号にもとづき、運転を停止（排水中止）させ、異常の報知を行うようにしている。
【特許文献１】特開平７−６８５号公報
【発明の開示】
【発明が解決しようとする課題】
【０００４】
しかしながら、前記従来の構成では、例えばキッチンと横並びに、ドラム式洗濯機をビルトインタイプとして組み込んで設置するような場所（ワンルームマンションのキッチンなど）において、あるいは、お風呂場への設置など、防水パンなどの設置が望めない環境の場合、水を溜められない為、水位を検知することができない可能性があるという課題を有していた。また、洗濯機内部から漏れた水が床面に滴下し、床面を濡らしてしまったり、腐らせてしまったりといった被害が発生する恐れがある。また、防水パンに代わる水を溜める為の部品を設置したとしても、水位（水漏れ）を検知した時に、槽内に水が入っている状態で排水を停止してしまうと、槽の破損による水漏れなどの場合、そのまま水漏れが続き、最終的には水が溢れ出てきてしまう可能性があるという課題を有していた。
【０００５】
本発明は上記従来の課題を解決するもので、洗濯機の底板に本体内部への水漏れを検知する漏水検知手段を配設し、制御手段は漏水検知手段が水漏れを検知したときに、直ちに運転（給水やドラム回転など）を停止させると共に、水受け槽内の水を排水し、異常報知を行うことで、洗濯機内部へのいかなる水漏れも検知でき、排水することで、それ以上の水漏れの被害拡大を防ぐとともに、洗濯機本体から外部へ水漏れさせることなく、安全に使用者に異常の発生を知らせることができる洗濯機を提供することを目的としている。
【課題を解決するための手段】
【０００６】
前記従来の課題を解決するために、本発明の洗濯機は、水平または斜めの回転中心軸を有する回転ドラムと、洗濯機本体に弾性的に支持され前記回転ドラムを回転自在に内包す
る水受け槽と、前記回転ドラムを回転駆動するモータと、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、洗濯機の底板に本体内部への水漏れを検知する漏水検知手段と、前記入力設定・表示手段により設定された行程の内容をもとに前記モータ、前記給水手段、前記水位検知手段および前記排水手段等を制御し洗濯運転を行う制御手段とを備え、前記制御手段は漏水検知手段が水漏れを検知したときに、直ちに運転を停止させると共に、異常報知を行うようにしている。
【０００７】
これによって、洗濯機内部へのいかなる水漏れも検知でき、それ以上の水漏れの被害拡大を防ぐとともに、洗濯機本体から外部へ水漏れさせることなく、安全に使用者に異常の発生を知らせることができる。
【発明の効果】
【０００８】
本発明の洗濯機は、洗濯機の底板に本体内部への水漏れを検知する漏水検知手段を配設し、制御手段は漏水検知手段が水漏れを検知したときに、直ちに運転（給水やドラム回転など）を停止させると共に、異常報知を行うことで洗濯機内部へのいかなる水漏れも検知でき、それ以上の水漏れの被害拡大を防ぐとともに、洗濯機本体から外部へ水漏れさせることなく、安全に使用者に異常の発生を知らせることができる。
【発明を実施するための最良の形態】
【０００９】
第１の発明は、水平または斜めの回転中心軸を有する回転ドラムと、洗濯機本体に弾性的に支持され前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽内の洗濯水の排水をする排水手段と、洗濯、すすぎ、脱水等の一連の行程内容を設定する入力設定・表示手段と、洗濯機の底板に本体内部への水漏れを検知する漏水検知手段と、前記入力設定・表示手段により設定された行程の内容をもとに前記モータ、前記給水手段、前記水位検知手段および前記排水手段等を制御し洗濯運転を行う制御手段とを備え、前記制御手段は漏水検知手段が水漏れを検知したときに、直ちに運転を停止させると共に、異常報知を行うことで、洗濯機内部へのいかなる水漏れも検知でき、それ以上の水漏れの被害拡大を防ぐとともに、洗濯機本体から外部へ水漏れさせることなく、安全に使用者に異常の発生を知らせることができる。
【００１０】
第２の発明は、第１の発明において、前記回転ドラム下方に設けた、前記水受け槽内に給水された水を温める為の加熱手段と、前期加熱手段近傍に配設された水温を検知する温度検出手段とを備え、前記加熱手段を使用し高温水での運転中に、前記漏水検知手段が水漏れを検知したときに、直ちに運転を停止させると共に、前記給水手段が故障していた場合、攪拌動作をすることによる冷却により、水温が所定の温度以下になったら、前記水受け槽内の水を排水し、異常報知を行うことで、給水手段が故障していた場合でも、水受け槽内の高温の水や衣類を冷やし、安全に排水を行い、且つ、使用者に異常の発生を知らせることができる。
【００１１】
第３の発明は、第１の発明において、前記回転ドラム下方に設けた、前記水受け槽内に給水された水を温める為の加熱手段と、前期加熱手段近傍に配設された水温を検知する温度検出手段とを備え、前記加熱手段を使用し高温水での運転中に、前記漏水検知手段が水漏れを検知したときに、直ちに運転を停止させると共に、前記モータが故障していた場合、給水動作をすることによる冷却により、水温が所定の温度以下になったら、前記水受け槽内の水を排水し、異常報知を行うことで、モータが故障していた場合でも、水受け槽内の高温の水や衣類を冷やし、安全に排水を行い、且つ、使用者に異常の発生を知らせることができる。
【００１２】
第４の発明は、第１の発明において、前記回転ドラム下方に設けた、前記水受け槽内に給水された水を温める為の加熱手段と、前期加熱手段近傍に配設された水温を検知する温度検出手段とを備え、前記加熱手段を使用し高温水での運転中に、前記漏水検知手段が水漏れを検知したときに、直ちに運転を停止させると共に、前記排水手段が故障していた場合、給水動作と攪拌動作をすることによる冷却により、水温を所定の温度以下にし、異常報知を行うことで、排水手段が故障していた場合でも、水受け槽内の高温の水や衣類を冷やし、使用者に異常の発生を知らせることができる。
【００１３】
第５の発明は、第２または第３の発明において、水温を所定の温度以下にして、前記水受け槽内の水を排水するときに、前記水受け槽の底部からの排水経路の途中に設けられた着脱可能なリント回収手段が外れていた場合は、負荷の運転を停止し、異常報知を行うことで、排水経路の途中に設けられた着脱可能なリント回収手段が外れていた場合でも、水受け槽内の高温の水や衣類を冷やし、且つ、リント回収手段着脱部より水漏れさせることなく、使用者に異常の発生を知らせることができる。
【００１４】
以下、本発明の実施の形態について、図面を参照しながら説明する。なおこの実施の形態によって本発明が限定されるものではない。
【００１５】
（実施の形態１）
図１に示すように、回転ドラム１は、水受け槽２内に回転自在に配設されており、回転ドラム１の回転中心に略傾斜方向に回転軸（回転中心軸）３を設け、回転ドラム１の軸心方向を正面側から背面側に向けて下向きに傾斜させて配設している。この回転軸３に、水受け槽２の背面に取り付けたモータ４を連結し、回転ドラム１を正転、逆転方向に回転駆動する。
【００１６】
水受け槽２の正面側の上向き傾斜面に設けた開口部を蓋体５により開閉自在に覆い、この蓋体５を開くことにより回転ドラム１内に洗濯物を出し入れできるようにしている。蓋体５を上向き傾斜面に設けているため、洗濯物を出し入れする際、腰を屈めることなく行なうことができる。
【００１７】
水受け槽２は洗濯機本体６よりばね体７とダンパー８により揺動可能に吊り下げて防振支持しており、水受け槽２底部からの排水経路の途中に着脱可能なリント回収手段２４と排水手段９を配設して水受け槽２内の洗濯水を排水するようにしている。
【００１８】
給水手段１０は、水受け槽２内に水道水を給水するものである。水位検知手段１１は水受け槽２内の水位を検知するものである。
【００１９】
なお、本実施の形態では、回転ドラム１の回転中心に略傾斜方向に回転軸３を設け、回転ドラム１の軸心方向を正面側から背面側に向けて下向きに傾斜させて配設しているが、回転ドラム１の回転中心に略水平方向に回転軸３を設け、回転ドラム１の軸心方向を略水平方向に配設してもよい。
【００２０】
洗濯機本体６下方には制御手段１２を、上方前面部には入力設定・表示手段１３を配設する。
【００２１】
制御手段１２は、入力設定・表示手段１３からの情報をもとに、運転が開始されると、モータ４、排水手段９、給水手段１０、水位検知手段１１、などの動作を制御し、洗濯、すすぎ、脱水等の運転を行う。
【００２２】
排水手段９には、例えば、排水弁などがあげられるが、排水ポンプを使用してもよい。また、両方とも使用しても構わない。洗濯機の使用される環境に合わせた組み合わせとすればよい。
【００２３】
また、洗濯機本体６下部の底板には、水漏れを検知するのに最適な位置に漏水検知手段１４が配設されている。この漏水検知手段１４は、例えば、２つの電極で構成し、この電極間の電位差で漏水を検知するように構成している。つまり、漏水した水が電極間に付着した場合、電位差がなくなり、水漏れを検知することができる。
【００２４】
図２はドラム式洗濯機の一部ブロック化した回路図を示したものである。制御回路１５は、マイクロコンピュータにより構成した制御手段１２と、入力回路１６、モータ駆動回路１７及びスイッチング手段駆動回路１８から成るもので、制御手段１２は、入力設定・表示手段１３へ各種表示信号を出力すると共に、モータ駆動回路を介して、モータ４の回転制御を行っている。また、スイッチング手段駆動回路１８を介して、スイッチング手段１９を制御して、給水手段１０、排水手段９、蓋ロック装置２０などの動作を制御している。蓋ロック装置２０は、水受け槽２に設けた衣類投入口としての開口部を覆う蓋体５の開閉を運転中に禁止するものであり、ソレノイドとレバーより構成している。また、制御手段１２には、入力設定・表示手段１３からの各種操作信号が入力されると共に、入力回路１６を介して、水位検知手段１１や漏水検知手段１４、からの検出信号、およびリント回収手段の着脱状態を伝える検出信号が入力される。
【００２５】
以上のように構成された洗濯機について、以下その動作、作用を説明する。
【００２６】
蓋体５を開け、洗濯物を回転ドラム１に投入し、蓋体５を閉めた後、入力設定・表示手段１３により行程内容を設定し、運転を開始する。制御手段１２は、洗濯物の量に応じて、最適な水位を設定し、給水手段１０を制御して、回転ドラム１内および水受け槽２内に給水を行なう。そして、水位検知手段１１によって水位を検知し、設定された水位に達したら、給水を終了し、モータ４を制御し、回転ドラム１を回転させ、洗濯行程を行なう。洗濯行程終了後、排水手段９を制御して洗濯水を排水する。このとき、洗濯水がリント回収手段２４を通ることでリントが回収される。すすぎ行程途中や脱水行程前の排水においても同様である。そして、脱水した後、再び給水手段１０を制御して、回転ドラム１内および水受け槽２内に給水を行なう。そして、水位検知手段１１によって水位を検知し、設定された水位に達したら、給水を終了し、モータ４を制御し、回転ドラム１を回転させ、すすぎ行程を行う。すすぎ行程終了後、排水手段９を制御してすすぎ後の水を排水し、最終脱水を行って運転を終了する。制御手段１２は、電源入りスイッチ押下後の初期待機時含め、運転開始から運転が終了し電源が切れるまでの間、常時、漏水検知手段１４からの入力信号をモニターしている。例えば、水受け槽２や給水手段１０の亀裂や破損などにより漏れ出てきた水や、あるいは、給水弁付き圧力ホース（これは二重構造になっており、内側に給水ホース、給水ホースと外側の被覆の間には、蛇口側に付いている給水弁を制御する為の配線が通っている。この為、給水ホースに亀裂などが生じた場合、漏れた水は外側の被覆をつたって、洗濯機内に流れ込んでくる。）内の亀裂により漏水した場合、漏れ出てきた水が、底板に滴下し、底板に設けられた絞り形状２１部分に流れ込み、漏水検知手段１４の配設部分へと水が溜まっていく。制御手段１２は、水漏れ状態の検知信号が入ってきたら、直ちに給水、ドラムの回転を止め、排水を行った後、異常報知を行うようにしている。
【００２７】
なお、漏水検知手段１４の配設位置は、各製品の状態に合わせ、底板に限らず最適な位置に配設すれば良い。また、漏水検知手段１４からの入力信号を、常にモニターしていなくても、確実に水漏れを検知できるのであれば、最適なタイミングで入力信号をモニターするようにすれば良い。
【００２８】
また、底板の絞り形状２１は、各製品の状態に合わせ、水が意図する場所に溜まりやすいように最適な形状とすれば良い。また、必要であれば、底板に限らず、水が流れ込みやすいように側面などに、ガイド状の絞りを設けても良い。
【００２９】
このように、洗濯機の底板に本体内部への水漏れを検知する漏水検知手段１４を配設し、制御手段１２は漏水検知手段１４が水漏れを検知したときに、直ちに運転（給水やドラム回転など）を停止させると共に、水受け槽２内の水を排水し、異常報知を行うことで、洗濯機内部へのいかなる水漏れも検知でき、排水することで、それ以上の水漏れの被害拡大を防ぐとともに、洗濯機本体から外部へ水漏れさせることなく、安全に使用者に異常の発生を知らせることができる。
【００３０】
（実施の形態２）
図１、図２に示すように、回転ドラム１下方には、水受け槽２内に給水された水を温める為の加熱手段２２が設けられており、制御手段１２が加熱手段２２の動作を制御している。また、加熱手段２２の近傍には温めた水の温度を検知する為の温度検出手段２３が設けられており、検出した信号を入力回路１６を介して制御手段１２へ入力している。他の構成は上記実施例１と同じである。
【００３１】
上記構成において、洗濯物投入後、入力設定・表示手段１３により温水で洗濯を行う行程内容を設定し、運転を開始する。制御手段１２は、給水手段１０を制御して、回転ドラム１内および水受け槽２内に給水を行なう。そして、水位検知手段１１によって水位を検知し、設定された水位に達したら、給水を終了し、モータ４を制御し、回転ドラム１を回転させ、洗濯行程を行なう。洗濯行程中、制御手段１２は、温度検出手段２３からの検出信号にもとづいて、設定された水温になるように、加熱手段２２を制御する。こうした高温水での洗濯行程中に、漏水検知手段１４が水漏れを検知した際、そのまま高温になった洗濯水を排水すると、洗濯機の設置環境によっては、やけどをする恐れがある。つまり、風呂場などに洗濯機を設置し、排水ホースを排水口に挿入せずに使用していた場合、排水された高温の洗濯水が風呂場に流れでることになり、やけどをする恐れがある。したがって、温水での洗濯行程中に水漏れを検知した場合は、直ちに運転を停止し、給水および攪拌を行い、洗濯水を所定の温度以下まで冷やした後、排水を行うようにしている。
【００３２】
しかしながら、給水手段１０が故障していた場合は、モータ４を制御して攪拌動作をすることによる高温水や衣類の冷却を行い、温度検出手段２３からの検出信号により、水温が所定の温度以下になったら、水受け槽２内の水を排水し、蓋ロックを解除し、異常報知を行うようにしている。
【００３３】
なお、洗濯水の水温の判断は、所定の温度未満などのように、最適な判断条件とすればよい。
【００３４】
このように、高温水での洗濯運転中に、漏水検知手段１４が水漏れを検知したときに、直ちに運転を停止させると共に、給水手段１０が故障していた場合、攪拌動作をすることによる冷却により、水温が所定の温度以下になったら、水受け槽２内の水を排水し、異常報知を行うことで、やけど等の身体への被害を、使用者に与えることなく安全に排水を行うことができ、且つ、異常の発生を知らせることができる。
【００３５】
（実施の形態３）
実施の形態１または２と同様の構成である。
【００３６】
上記構成において、高温水での洗濯行程中に、漏水検知手段１４が水漏れを検知した時
に、モータ４が故障していた場合は、給水手段１０を制御して給水を行い、給水動作をすることによる高温水や衣類の冷却を行い、温度検出手段２３からの検出信号により、水温が所定の温度以下になったら、水受け槽２内の水を排水し、蓋ロックを解除し、異常報知を行うようにしている。
【００３７】
このように、高温水での洗濯運転中に、漏水検知手段１４が水漏れを検知したときに、直ちに運転を停止させると共に、モータ４が故障していた場合、給水動作をすることによる冷却により、水温が所定の温度以下になったら、水受け槽２内の水を排水し、異常報知を行うことで、やけど等の身体への被害を、使用者に与えることなく安全に排水を行うことができ、且つ、異常の発生を知らせることができる。
【００３８】
（実施の形態４）
実施の形態１〜３と同様の構成である。
【００３９】
上記構成において、高温水での洗濯行程中に、漏水検知手段１４が水漏れを検知した時に、排水手段９が故障していた場合は、モータ４と給水手段１０を制御して給水および攪拌を行い、給水動作と攪拌動作をすることによる高温水や衣類の冷却を行い、温度検出手段２３からの検出信号により、水温が所定の温度以下になったら、蓋ロック２０を解除し、異常報知を行うようにしている。
【００４０】
このように、高温水での洗濯運転中に、漏水検知手段１４が水漏れを検知したときに、直ちに運転を停止させると共に、排水手段９が故障していた場合、給水動作と攪拌動作をすることによる冷却により、水温が所定の温度以下になったら、蓋ロック２０を解除し、異常報知を行うことで、蓋ロック２０解除後に蓋体５を開けた際の、やけど等の身体への被害を、使用者に与えることなく、異常の発生を知らせることができる。
【００４１】
（実施の形態５）
実施の形態１〜４と同様の構成である。
【００４２】
上記構成において、高温水での洗濯行程中に、漏水検知手段１４が水漏れを検知した時に、モータ４と給水手段１０を制御して給水および攪拌を行い、給水動作と攪拌動作をすることによる高温水や衣類の冷却により、水温を所定の温度以下にして、水受け槽２内の水を排水するときに、着脱可能なリント回収手段２４が外れていた場合は、負荷の運転を停止し、異常報知を行う。そしてその後、リント回収手段２４が使用者によって装着された時は、引き続きモータ４と給水手段１０を制御して給水および攪拌を行い、水温を所定の温度以下にして、水受け槽２内の水を排水し、蓋ロック２０を解除し、異常報知を行うようにしている。
【００４３】
このように、高温水での洗濯運転中に、漏水検知手段１４が水漏れを検知し、給水動作と攪拌動作をすることによる冷却により、水温を所定の温度以下にして、水受け槽２内の水を排水するときに、排水経路の途中に設けられた着脱可能なリント回収手段２４が外れていた場合は、負荷の運転を停止し、異常報知を行うことで、排水経路の途中に設けられた着脱可能なリント回収手段２４が外れていた場合でも、水受け槽２内の高温の水や衣類を冷やし、且つ、リント回収手段２４着脱部より水漏れさせることなく、使用者に異常の発生を知らせることができる。また、リント回収手段２４が装着された後は、やけど等の身体への被害を、使用者に与えることなく安全に排水をし、異常報知を行うことができる。
【産業上の利用可能性】
【００４４】
以上のように、本発明にかかる洗濯機は、洗濯機の底板に本体内部への水漏れを検知す
る漏水検知手段を配設し、制御手段は漏水検知手段が水漏れを検知したときに、直ちに運転（給水やドラム回転など）を停止させると共に、水受け槽内の水を排水し、異常報知を行うことで、洗濯機内部へのいかなる水漏れも検知でき、排水することで、それ以上の水漏れの被害拡大を防ぐとともに、洗濯機本体から外部へ水漏れさせることなく使用者に異常の発生を知らせることができるので、乾燥機能のついた洗濯乾燥機等にも利用可能である。
【図面の簡単な説明】
【００４５】
【図１】本発明の実施の形態１におけるドラム式洗濯機の断面図
【図２】同ドラム式洗濯機の一部ブロック化した回路図
【図３】従来の洗濯機の断面図
【符号の説明】
【００４６】
１  回転ドラム
２  水受け槽
４  モータ
９  排水手段
１０  給水手段
１１  水位検知手段
１２  制御手段
１３  入力設定・表示手段
１４  漏水検知手段
【図２】
2010172640.tif 000003
【図１】
2010172640.tif 000004
【図３】
2010172640.tif 000005